(57)【特許請求の範囲】
【請求項１】
複数の基地局を含み、前記複数の基地局のうち２以上の基地局が同一タイミングで同一内容のデータを１以上の移動局へ送信する移動通信システムであって、
前記複数の基地局のうち前記同一内容のデータの送信を行っている２以上の他の基地局を前記移動局に通知する通知部と、
前記２以上の他の基地局からの無線信号の前記移動局における受信状況を示す情報に応じて、前記２以上の他の基地局から前記同一内容のデータの受信を行うよう前記移動局に指示する制御部と、
を備える基地局と、
前記基地局から通知された前記２以上の他の基地局からの無線信号の受信状況を示す情報を前記基地局に送信する送信部と、
前記基地局からの指示に応じて、前記２以上の他の基地局から前記同一内容のデータの受信を行う受信部と、
を備える前記移動局と、
を有することを特徴とする移動通信システム。
【請求項２】
前記制御部は、前記２以上の他の基地局から前記同一内容のデータの受信を行うよう指示すると、前記基地局が前記同一内容のデータの送信を行わないよう制御することを特徴とする請求項１記載の移動通信システム。
【請求項３】
前記受信部は、前記２以上の他の基地局が送信する前記同一内容のデータ以外のデータを、前記基地局から受信することを特徴とする請求項１記載の移動通信システム。
【請求項４】
前記受信部は、前記２以上の他の基地局から前記同一内容のデータの受信を行うために用いる制御信号を、前記基地局から受信することを特徴とする請求項１記載の移動通信システム。
【請求項５】
前記通知部は、前記基地局による前記同一内容のデータの送信状況に応じて、前記２以上の他の基地局を前記移動局に通知することを特徴とする請求項１記載の移動通信システム。
【請求項６】
前記同一内容のデータの送信状況として、前記移動局を含む前記基地局に接続している複数の移動局のうち前記同一内容のデータを受信する移動局の数が用いられ、
前記通知部は、前記移動局の数が所定の閾値未満のとき、前記２以上の他の基地局を前記移動局に通知する、
ことを特徴とする請求項５記載の移動通信システム。
【請求項７】
前記同一内容のデータの送信状況として、前記基地局が送信する前記同一内容のデータの量と前記同一内容のデータを送信するために使用できる無線リソースの量とから算出される伝送効率が用いられ、
前記通知部は、前記伝送効率が所定の閾値未満のとき、前記２以上の他の基地局を前記移動局に通知する、
ことを特徴とする請求項５記載の移動通信システム。
【請求項８】
複数の基地局を含み、前記複数の基地局のうち２以上の基地局が同一タイミングで同一内容のデータを１以上の移動局へ送信する移動通信システムに用いられる基地局であって、
前記複数の基地局のうち前記同一内容のデータの送信を行っている２以上の他の基地局を前記移動局に通知する通知部と、
前記移動局から受信される、通知した前記２以上の他の基地局からの無線信号の前記移動局における受信状況を示す情報に応じて、前記２以上の他の基地局から前記同一内容のデータの受信を行うよう前記移動局に指示する制御部と、
を有することを特徴とする基地局。
【請求項９】
複数の基地局を含み、前記複数の基地局のうち２以上の基地局が同一タイミングで同一内容のデータを１以上の移動局へ送信する移動通信システムに用いられる移動局であって、
前記複数の基地局のうちの第１の基地局から、前記複数の基地局のうち前記同一内容のデータの送信を行っている２以上の第２の基地局の通知を受けて、前記２以上の第２の基地局からの無線信号の受信状況を示す情報を前記第１の基地局に送信する送信部と、
前記受信状況を示す情報を送信した後に受ける前記第１の基地局からの指示に応じて、前記２以上の第２の基地局から前記同一内容のデータの受信を行う受信部と、
を有することを特徴とする移動局。
【請求項１０】
複数の基地局を含み、前記複数の基地局のうち２以上の基地局が同一タイミングで同一内容のデータを１以上の移動局へ送信する移動通信システムの無線通信方法であって、
前記複数の基地局のうちの第１の基地局が、前記複数の基地局のうち前記同一内容のデータの送信を行っている２以上の第２の基地局を、前記移動局に通知し、
前記移動局が、通知された前記２以上の第２の基地局からの無線信号の前記移動局における受信状況を示す情報を、前記第１の基地局に送信し、
前記第１の基地局が、前記受信状況を示す情報に応じて、前記２以上の第２の基地局から前記同一内容のデータの受信を行うよう前記移動局に指示する、
ことを特徴とする無線通信方法。
【請求項１１】
複数の基地局を含み、複数のセルにおいて同一タイミングで同一内容のデータを１以上の移動局へ送信する移動通信システムであって、
前記複数のセルのうち前記同一内容のデータの送信を行っている２以上のセルを前記移動局に通知する通知部と、
前記２以上のセルからの無線信号の前記移動局における受信状況を示す情報に応じて、前記２以上のセルから前記同一内容のデータの受信を行うよう前記移動局に指示する制御部と、
を備える基地局と、
前記基地局から通知された前記２以上のセルからの無線信号の受信状況を示す情報を前記基地局に送信する送信部と、
前記基地局からの指示に応じて、前記２以上のセルから前記同一内容のデータの受信を行う受信部と、
を備える前記移動局と、
を有することを特徴とする移動通信システム。
【請求項１２】
複数の基地局を含み、複数のセルにおいて同一タイミングで同一内容のデータを１以上の移動局へ送信する移動通信システムに用いられる基地局であって、
前記複数のセルのうち前記同一内容のデータの送信を行っている２以上のセルを前記移動局に通知する通知部と、
前記移動局から受信される、通知した前記２以上のセルからの無線信号の前記移動局における受信状況を示す情報に応じて、前記２以上のセルから前記同一内容のデータの受信を行うよう前記移動局に指示する制御部と、
を有することを特徴とする基地局。
【請求項１３】
複数の基地局を含み、２以上のセルにおいて同一タイミングで同一内容のデータを１以上の移動局へ送信する移動通信システムに用いられる移動局であって、
前記複数の基地局のうち第１の基地局が管理する第１のセルから、前記２以上のセルのうち前記同一内容のデータの送信を行っている２以上の第２のセルの通知を受けて、前記２以上の第２のセルからの無線信号の受信状況を示す情報を前記第１の基地局に送信する送信部と、
前記受信状況を示す情報を送信した後に受ける前記第１のセルからの指示に応じて、前記２以上の第２のセルから前記同一内容のデータの受信を行う受信部と、
を有することを特徴とする移動局。
【請求項１４】
複数の基地局を含み、２以上のセルにおいて同一タイミングで同一内容のデータを１以上の移動局へ送信する移動通信システムの無線通信方法であって、
前記複数の基地局のうち第１の基地局が管理する第１のセルが、前記２以上のセルのうち前記同一内容のデータの送信を行っている２以上の第２のセルを、前記移動局に通知し、
前記移動局が、通知された前記２以上の第２のセルからの無線信号の前記移動局における受信状況を示す情報を、前記第１の基地局に送信し、
前記第１の基地局が、前記受信状況を示す情報に応じて、前記２以上の第２のセルから前記同一内容のデータの受信を行うよう前記移動局に指示する、
ことを特徴とする無線通信方法。
【発明の詳細な説明】
【技術分野】
【０００１】
本件は移動通信システム、基地局、移動局および無線通信方法に関する。
【背景技術】
【０００２】
現在、携帯電話システムや無線ＭＡＮ（Metropolitan Area Network）などの移動通信システムが多く利用されている。また、無線通信の更なる高速化・大容量化を図るべく、次世代の移動通信技術について継続的に活発な議論が行われている。【０００３】
例えば、標準化団体の１つである３ＧＰＰ（3rd Generation Partnership Project）では、最大で２０ＭＨｚの周波数帯域を用いた通信が可能なＬＴＥ（Long Term Evolution）と呼ばれる通信規格が提案されている。更に、ＬＴＥの次世代の通信規格として、最大で１００ＭＨｚの周波数帯域を用いた通信が可能なＬＴＥ−Ａ（Long Term Evolution - Advanced）と呼ばれる通信規格が提案されている。【０００４】
また、ＬＴＥやＬＴＥ−Ａでは、ＭＢＳＦＮ（Multimedia Broadcast multicast service Single Frequency Network）と呼ばれるデータ送信方法の採用が検討されている。ＭＢＳＦＮでは、複数の基地局が同一タイミングで同一周波数かつ同一変調方式を用いて同一内容のデータを送信する。ＭＢＳＦＮによって送信されるデータは、ＭＢＭＳ（Multimedia Broadcast Multicast Service）データと呼ばれることがある。移動局は、複数の基地局からの無線信号を合成することで、受信品質を向上させることができる。【０００５】
ＭＢＳＦＮに関しては、移動端末が、ＭＢＳＦＮエリアにおいて放送型データを受信するために用いる同期情報を受信し、ＭＢＳＦＮエリアを構成するセルをサーチする技術が提案されている（例えば、特許文献１参照）。また、移動端末が各基地局の受信品質を測定し、当該移動端末についてのスケジューリングを行うサービング基地局に加えて、測定された品質に応じて選択される他の基地局が、放送型データを送信するようにする技術が提案されている（例えば、特許文献２参照）。なお、移動端末が測定すべきセルの数を低減するために、システム情報として報知される隣接セルの数を抑制する技術も提案されている（例えば、特許文献３参照）。
【先行技術文献】
【特許文献】
【０００６】
【特許文献１】特開２００９−１８８６１２号公報
【特許文献２】国際公開第２００８／０３８３３６号
【特許文献３】国際公開第２００７／１４８９１１号
【発明の概要】
【発明が解決しようとする課題】
【０００７】
ところで、あるエリア内に存在する全ての基地局が一律に、同一タイミングで同一内容のデータを送信する処理を行うようにすると、無線リソースの利用効率が低下するおそれがある。そこで、当該エリア内に存在する基地局のうち上記送信処理を行う基地局を一部に限定することが考えられる。【０００８】
しかし、上記送信処理を行う基地局と行わない基地局とが混在する移動通信システムでは、当該送信処理によって送信されるデータの受信を行う移動局を、どのように制御すればよいかが問題となる。すなわち、特許文献２に記載の技術のような、単に移動局にとって受信品質の良好な基地局と移動局とが通信を行うという制御方法では、移動局の受信処理を円滑に制御することができないおそれがある。【０００９】
本件はこのような点に鑑みてなされたものであり、複数の基地局が同一タイミングで送信する同一内容のデータを受信する移動局の受信処理を円滑に制御できるようにした移動通信システム、基地局、移動局および無線通信方法を提供することを目的とする。
【課題を解決するための手段】
【００１０】
上記課題を解決するために、複数の基地局を含み、複数の基地局のうち２以上の基地局が同一タイミングで同一内容のデータを１以上の移動局へ送信する移動通信システムが提供される。この移動通信システムは、通知部と制御部とを備える基地局と、送信部と受信部とを備える移動局とを有する。通知部は、複数の基地局のうち同一内容のデータの送信を行っている２以上の他の基地局を移動局に通知する。制御部は、２以上の他の基地局からの無線信号の移動局における受信状況を示す情報に応じて、２以上の他の基地局から同一内容のデータの受信を行うよう移動局に指示する。送信部は、基地局から通知された２以上の他の基地局からの無線信号の受信状況を示す情報を基地局に送信する。受信部は、基地局からの指示に応じて、２以上の他の基地局から同一内容のデータの受信を行う。
【００１１】
また、上記課題を解決するために、複数の基地局を含み、複数の基地局のうち２以上の基地局が同一タイミングで同一内容のデータを１以上の移動局へ送信する移動通信システムの無線通信方法が提供される。この無線通信方法では、複数の基地局のうちの第１の基地局が、複数の基地局のうち同一内容のデータの送信を行っている２以上の第２の基地局を、移動局に通知する。移動局が、通知された２以上の第２の基地局からの無線信号の移動局における受信状況を示す情報を、第１の基地局に送信する。第１の基地局が、受信状況を示す情報に応じて、２以上の第２の基地局から同一内容のデータの受信を行うよう移動局に指示する。
【発明の効果】
【００１２】
上記移動通信システム、基地局、移動局および無線通信方法によれば、複数の基地局が同一タイミングで送信する同一内容のデータを受信する移動局の受信処理を円滑に制御することができる。【００１３】
本発明の上記および他の目的、特徴および利点は、本発明の例として好ましい実施の形態を表す添付の図面と関連した以下の説明により明らかになるであろう。
【図面の簡単な説明】
【００１４】
【図１】第１の実施の形態の移動通信システムを示す図である。
【図２】第２の実施の形態の移動通信システムを示す図である。
【図３】無線フレームの構造例を示す図である。
【図４】通常ＣＰおよび拡張ＣＰの例を示す図である。
【図５】第２の実施の形態の基地局を示すブロック図である。
【図６】第２の実施の形態のＭＢＳＦＮ送信制御部を示すブロック図である。
【図７】第２の実施の形態の移動局を示すブロック図である。
【図８】第２の実施の形態の送信開始制御を示すフローチャートである。
【図９】第２の実施の形態の送信開始の流れを示すシーケンス図である。
【図１０】第２の実施の形態の送信停止制御を示す第１のフローチャートである。
【図１１】第２の実施の形態の送信停止制御を示す第２のフローチャートである。
【図１２】第２の実施の形態の送信停止の流れを示すシーケンス図である。
【図１３】複数の基地局と移動局との関係を示す第１の図である。
【図１４】複数の基地局と移動局との関係を示す第２の図である。
【図１５】複数の基地局と移動局との関係を示す第３の図である。
【図１６】ＭＢＳＦＮエリアの例を示す図である。
【図１７】基地局の送信電力制御を示す図である。
【図１８】ＭＢＳＦＮエリアの例を示す他の図である。
【図１９】第３の実施の形態のＭＢＳＦＮ送信制御部を示すブロック図である。
【図２０】第３の実施の形態の送信開始制御を示すフローチャートである。
【図２１】第３の実施の形態の送信停止制御を示す第１のフローチャートである。
【図２２】第３の実施の形態の送信停止制御を示す第２のフローチャートである。
【図２３】第４の実施の形態のＭＢＳＦＮ送信制御部を示すブロック図である。
【図２４】第４の実施の形態のＭＣＥを示すブロック図である。
【図２５】第４の実施の形態の送信開始の流れを示すシーケンス図である。
【図２６】第４の実施の形態の送信停止の流れを示すシーケンス図である。
【図２７】第５の実施の形態のＭＣＥを示すブロック図である。
【図２８】第６の実施の形態の移動局を示すブロック図である。
【図２９】第７の実施の形態の移動通信システムを示す図である。
【発明を実施するための形態】
【００１５】
以下、本実施の形態を図面を参照して詳細に説明する。
［第１の実施の形態］
図１は、第１の実施の形態の移動通信システムを示す図である。第１の実施の形態に係る移動通信システムは、複数の基地局と移動局３０とを有する。
【００１６】
複数の基地局には、同一タイミングで同一内容のデータを協調して送信する２以上の基地局が含まれる。例えば、当該２以上の基地局は、前述のＭＢＳＦＮ送信を実行する。また、複数の基地局には、上記のデータ送信を行わない基地局も含まれる。これら複数の基地局には、基地局１０，２１，２２が含まれる。基地局２１，２２は、協調して同一内容のデータ送信を行っている。基地局１０は、基地局２１，２２と共に同一内容のデータ送信を行っていてもよいし、行っていなくてもよい。
【００１７】
基地局１０は、通知部１１および制御部１２を有する。通知部１１は、複数の基地局のうち同一タイミングで同一内容のデータの送信を行っている２以上の他の基地局（基地局２１，２２）を、移動局３０に通知する。制御部１２は、移動局３０から受信される、通知した基地局２１，２２からの無線信号の移動局３０における受信状況を示す情報などに応じて、基地局２１，２２から同一内容のデータの受信を行うよう、移動局３０に指示する。受信状況を示す情報に加え、例えば、移動局３０からのデータ送信要求を参照して、移動局３０への指示を行ってもよい。
【００１８】
移動局３０は、送信部３１および受信部３２を有する。送信部３１は、同一タイミングで同一内容のデータの送信を行っている基地局２１，２２の通知を受けて、基地局２１，２２からの無線信号の受信状況を示す情報を、基地局１０に送信する。受信部３２は、受信状況を示す情報を送信した後に受ける基地局１０からの指示に応じて、基地局２１，２２から同一内容のデータの受信を行う。
【００１９】
すなわち、基地局１０は、複数の基地局のうち同一タイミングで同一内容のデータの送信を行っている基地局２１，２２を、移動局３０に通知する（ステップＳ１）。移動局３０は、通知された基地局２１，２２からの無線信号の移動局３０における受信状況を示す情報を、基地局１０に送信する（ステップＳ２）。基地局１０は、受信状況を示す情報に応じて、基地局２１，２２から同一内容のデータの受信を行うよう移動局３０に指示する（ステップＳ３）。移動局３０は、基地局１０からの指示を受けて、基地局２１，２２が同一タイミングで送信した同一内容のデータを受信する（ステップＳ４）。
【００２０】
ここで、通知部１１は、基地局１０における同一内容のデータ送信の実行状況に基づいて、移動局３０に基地局２１，２２を通知してもよい。例えば、基地局１０に接続している移動局のうち、２以上の基地局から同一内容のデータを受信している移動局の数が所定の閾値未満であるとき、通知を行うことが考えられる。また、基地局１０が他の基地局と協調して送信しているデータの量と当該データの送信に使用可能な無線リソースの量とから算出される伝送効率が、所定の閾値未満であるとき、通知を行うことが考えられる。
【００２１】
移動局３０への通知を行うか否かは、移動局３０が基地局１０に対して、２以上の基地局が協調して送信するデータを要求したときに判断されてもよい。また、基地局１０に接続しており、且つ、２以上の基地局から同一内容のデータを受信している移動局の数が減少したときに、判断されてもよい。
【００２２】
また、移動局３０は、基地局２１，２２からの無線信号の受信状況として、無線信号の受信電力や無線回線品質（例えば、ＣＩＲ（Carrier to Interference Ratio））などの受信品質を測定してもよい。基地局２１，２２が、同一内容のデータとそれ以外の通常のデータとを時分割で送信している場合、移動局３０は受信品質を、同一内容のデータが送信される区間内の無線信号を用いて測定してもよいし、通常のデータが送信される区間内の無線信号を用いて測定してもよい。
【００２３】
送信部３１から基地局１０に送信される受信状況を示す情報は、基地局２１，２２それぞれの受信品質を示す情報であってもよいし、基地局２１，２２全体についての１つの受信品質を示す情報であってもよい。また、受信状況を示す情報は、移動局３０において測定された受信品質が、所定の基準を満たしているか否かを示す情報であってもよい。
【００２４】
また、制御部１２は、受信状況を示す情報によって示される受信品質が所定の閾値を超えている場合のみ、基地局２１，２２から同一内容のデータの受信を行うよう移動局３０に指示してもよい。移動局３０へ指示を行うか否かの判断は、制御部１２が行ってもよいし、基地局１０とネットワークで接続された制御装置が行ってもよい。後者の場合、基地局１０は、例えば、移動局３０から受信した受信状況を示す情報を制御装置に転送する。
【００２５】
また、制御部１２は、移動局３０に対して基地局２１，２２から同一内容のデータを受信するよう指示する場合には、基地局１０が当該同一内容のデータを送信しないよう制御してもよい。一方、基地局２１，２２から受信するよう移動局３０に指示しない場合（例えば、移動局３０で測定された受信品質が所定の基準を満たさない場合）には、基地局１０自身が当該同一内容のデータ送信を行うように制御してもよい。
【００２６】
このような第１の実施の形態の移動通信システムによれば、同一タイミングで同一内容のデータを送信している基地局と送信していない基地局とが混在している環境下においても、移動局の受信処理を円滑に制御することができる。すなわち、基地局１０は、複数の基地局のうち同一タイミングで同一内容のデータを送信している基地局（基地局２１，２２）と通信を行うよう、移動局３０を誘導することができる。また、基地局１０は、移動局３０を基地局２１，２２に誘導した後は、同一内容のデータ送信を行わなくてもよい。従って、同一タイミングで同一内容のデータを送信する基地局の数を抑制することが容易となり、無線リソースの利用効率の向上を図ることができる。
【００２７】
以下の第２〜第７の実施の形態では、第１の実施の形態で説明した無線通信方法を、ＬＴＥシステムまたはＬＴＥ−Ａシステムに適用した場合を考える。ただし、上記の無線通信方法は、もちろん、他の種類の移動通信システムに適用することも可能である。
【００２８】
［第２の実施の形態］
図２は、第２の実施の形態の移動通信システムを示す図である。第２の実施の形態に係る移動通信システムは、基地局１００，２００を含む複数の基地局、移動局３００、ＭＣＥ（Multi-cell/multicast Coordination Entity）４１０、ＭＭＥ（Mobility Management Entity）５１０およびＭＢＭＳゲートウェイ５２０を含む。
【００２９】
基地局１００，２００は、移動局３００と無線通信が可能な無線通信装置である。基地局１００，２００は、有線ネットワークを介して、ＭＣＥ４１０およびＭＢＭＳゲートウェイ５２０と接続されている。基地局１００，２００は、ＭＢＳＦＮ送信を行うことができる。すなわち、ＭＢＭＳゲートウェイ５２０からＭＢＭＳデータを受信し、同一タイミングで同一周波数且つ同一変調方式を用いて、同一内容のＭＢＭＳデータを送信することが可能である。また、図示しないＳＡＥ（System Architecture Evolution）ゲートウェイと移動局３００との間で、ＭＢＭＳデータ以外のユーザデータを転送する。
【００３０】
移動局３００は、基地局１００，２００を含む複数の基地局との間で無線通信が可能な無線端末装置であり、例えば、携帯電話機や携帯情報端末装置である。移動局３００は、ＭＢＳＦＮ送信されたＭＢＭＳデータを受信する。すなわち、ＭＢＳＦＮ送信を行う複数の基地局からの無線信号を合成して復調および復号を行い、ＭＢＭＳデータを抽出する。これにより、ＭＢＭＳデータの受信特性が向上する。また、移動局３００は、ＭＢＭＳデータ以外のユーザデータを、現在接続している基地局との間で送受信する。なお、ここでは、移動局３００は基地局１００に接続しているものとする。
【００３１】
ＭＣＥ４１０は、基地局１００，２００によるＭＢＳＦＮ送信を制御する通信装置である。ＭＣＥ４１０は、有線ネットワークを介して基地局１００，２００と制御情報を送受信し、ＭＢＳＦＮ送信を行う基地局の管理、および、ＭＢＳＦＮ送信のスケジューリングを行う。また、スケジューリング結果に応じて、ＭＢＭＳゲートウェイ５２０に、ＭＢＭＳデータの送信を指示する。
【００３２】
ＭＭＥ５１０は、モビリティ管理、すなわち、移動局３００の在圏セルの管理や移動局３００の呼び出し（ページング）を行う通信装置である。ＭＭＥ５１０は、有線ネットワークを介して、ＭＣＥ４１０と接続されている。
【００３３】
ＭＢＭＳゲートウェイ５２０は、ＭＣＥ４１０からの指示に応じて、ＭＢＭＳデータの送信処理を行う通信装置である。ＭＢＭＳゲートウェイ５２０は、ＭＢＳＦＮ送信を行う基地局に対して、ＭＢＭＳデータを送信する。
【００３４】
このような移動通信システムは、前述の通り、ＬＴＥシステムまたはＬＴＥ−Ａシステムとして実現することができる。なお、３ＧＰＰでは、ＬＴＥにおけるＭＢＳＦＮの規格はリリース９の仕様書で定義され、ＬＴＥ−ＡにおけるＭＢＳＦＮの規格はリリース１０の仕様書で定義される。
【００３５】
図３は、無線フレームの構造例を示す図である。図３に示すような無線フレームが、基地局１００，２００と移動局３００との間で送受信される。ここでは、複信方式としてＦＤＤ（Frequency Division Duplex）を用いる場合を想定している。すなわち、下りリンク（ＤＬ：DownLink）と上りリンク（ＵＬ:UpLink）それぞれにつき、図３に示すような無線フレームが送受信される。ただし、複信方式としてＴＤＤ（Time Division Duplex）を用いることも可能である。また、無線フレームの構造はこれに限定されない。
【００３６】
この例では、１０ｍｓ周期の無線フレームに、１ｍｓ幅の１０個のサブフレーム（サブフレーム＃０〜＃９）が含まれている。無線リソースのスケジューリングは、サブフレーム単位で行われる。サブフレーム内の無線リソースは、時間方向および周波数方向に細分化されて管理される。周波数方向の最小単位はサブキャリア、時間方向の最小単位はシンボルである。各サブフレームは、後述のように、１２個または１４個のシンボルを含む。
【００３７】
このような周波数×時間の領域の無線リソースが、各種チャネルに割り当てられる。ＤＬ無線フレームには、ＭＢＭＳデータ以外の通常のユーザデータや上位レイヤの制御情報を送信するためのＰＤＳＣＨ（Physical Downlink Shared CHannel）が設けられる。また、Ｌ１／Ｌ２（Layer 1/Layer 2）制御信号を送信するためのＰＤＣＣＨ（Physical Downlink Control CHannel）が設けられる。また、ＭＢＭＳデータおよびＭＢＳＦＮ制御信号を送信するためのＰＭＣＨ（Physical Multicast CHannel）が設けられる。
【００３８】
また、ＤＬ無線フレームには、同期信号を送信するためのＰ−ＳＣＨ（Primary Synchronization CHannel）およびＳ−ＳＣＨ（Secondary Synchronization CHannel）が設けられる。また、ＤＬ無線フレームでは、既知のパイロット信号である参照信号（ＲＳ：Reference Signal）が送信される。
【００３９】
ＵＬ無線フレームには、ユーザデータや制御情報を送信するためのＰＵＳＣＨ（Physical Uplink Shared CHannel）が設けられる。また、Ｌ１／Ｌ２（Layer 1/Layer 2）制御信号を送信するためのＰＵＣＣＨ（Physical Uplink Control CHannel）が設けられる。
【００４０】
ここで、ＭＢＭＳデータは、論理チャネルであるＭＴＣＨ（Multicast Traffic CHannel）を用いて伝送される。ＭＢＳＦＮ制御信号は、論理チャネルであるＭＣＣＨ（Multicast Control CHannel）を用いて伝送される。ＭＴＣＨおよびＭＣＣＨは、トラフィックチャネルであるＭＣＨ（Multicast CHannel）にマッピングされる。ＭＣＨは、物理チャネルである上記ＰＭＣＨにマッピングされる。
【００４１】
ＭＢＳＦＮ送信に用いられるサブフレーム（ＭＢＳＦＮサブフレーム）とそれ以外のサブフレーム（通常サブフレーム）とは、シンボルの構造が異なる。具体的には、通常サブフレームは１４個のシンボルを含み、各シンボルは後述する通常ＣＰ（Cyclic Prefix）を含んでいる。一方、ＭＢＳＦＮサブフレームは１２個のシンボルを含み、各シンボルには後述する拡張ＣＰを含んでいる。通常ＣＰと拡張ＣＰとは、信号長が異なる。ＭＢＳＦＮサブフレームでは、一部の例外を除き、ＭＢＭＳデータ以外のユーザデータは送信されない。
【００４２】
なお、多元接続方式として、ＤＬ無線フレームに、例えば、ＯＦＤＭＡ（Orthogonal Frequency Division Multiple Access）を用いることができる。また、ＵＬ無線フレームに、例えば、ＳＣ−ＦＤＭＡ（Single-Carrier Frequency Division Multiple Access）やＮｘＳＣ−ＦＤＭＡ（N times SC-FDMA）を用いることができる。
【００４３】
図４は、通常ＣＰおよび拡張ＣＰの例を示す図である。図４に示すように、各シンボルは、データ部分である有効シンボルと、ガードインターバルとしてのＣＰとを含む。ＣＰは、有効シンボルの末尾部分の信号を複製したものであり、有効シンボルの前に付加される。通常ＣＰの時間長は４．６９μ秒、拡張ＣＰの時間長は１６．６７μ秒である。有効シンボル長は、通常ＣＰを用いる場合と拡張ＣＰを用いる場合とで同じである。
【００４４】
前述の通り、ＭＢＳＦＮサブフレームでは、拡張ＣＰが用いられる。移動局３００は、遅延時間がＣＰの時間長以下である遅延波を、先行波と合成して復調することができる。よって、拡張ＣＰを用いることで、通常ＣＰを用いた場合よりも、移動局３００はより遠い基地局からの信号を合成・復調することが可能となる。
【００４５】
図５は、第２の実施の形態の基地局を示すブロック図である。基地局１００は、アンテナ１１１、無線受信部１１２、復調復号部１１３、品質情報抽出部１１４、スケジューラ１１５、制御情報生成部１１６、ＭＢＳＦＮ要求抽出部１１７、ＭＢＳＦＮ送信制御部１２０、ＭＢＳＦＮ制御信号生成部１３１、測定要求生成部１３２、同期信号生成部１３３、ＲＳ生成部１３４、マッピング部１３５、符号化変調部１３６および無線送信部１３７を有する。他の基地局も、基地局１００と同様のブロック構造によって実現できる。
【００４６】
アンテナ１１１は、移動局３００が送信した無線信号を受信し、無線受信部１１２に出力する。また、無線送信部１３７から取得した送信信号を無線出力する。なお、送受信兼用のアンテナではなく、送信用アンテナと受信用アンテナとを別個に、基地局１００に設けてもよい。また、複数のアンテナを用いて、ダイバーシティ送信を行ってもよい。
【００４７】
無線受信部１１２は、アンテナ１１１から取得した信号を無線信号処理し、高周波数の無線信号から低周波数のベースバンド信号への変換（ダウンコンバート）を行う。無線受信部１１２は、無線信号処理のために、例えば、低雑音増幅器（ＬＮＡ：Low Noise Amplifier）、周波数変換器、帯域通過フィルタ（ＢＰＦ：Band Pass Filter）、Ａ／Ｄ（Analog to Digital）変換器などの回路を備える。
【００４８】
復調復号部１１３は、無線受信部１１２から取得したベースバンド信号を、復調および誤り訂正復号する。復調および復号は、所定の変調符号化方式（ＭＣＳ：Modulation and Coding Scheme）またはスケジューラ１１５から指示された変調符号化方式に対応する方法で行う。抽出されたユーザデータは、ＳＡＥゲートウェイに転送される。
【００４９】
品質情報抽出部１１４は、移動局３００が送信した制御情報である、受信品質の測定報告を示す品質情報を抽出する。そして、品質情報抽出部１１４は、通常のデータ送信に関する品質情報を、スケジューラ１１５に出力し、ＭＢＳＦＮ送信に関する品質情報を、ＭＢＳＦＮ送信制御部１２０に出力する。
【００５０】
スケジューラ１１５は、品質情報抽出部１１４から取得した品質情報に基づいて、移動局３００に無線リソースを割り当てる。そして、無線リソースの割り当て状況を、無線受信部１１２、復調復号部１１３、制御情報生成部１１６、符号化変調部１３６および無線送信部１３７に通知する。また、スケジューラ１１５は、品質情報に基づいて、変調符号化方式を適応的に選択する。そして、選択した変調符号化方式を、復調復号部１１３、制御情報生成部１１６および符号化変調部１３６に通知する。
【００５１】
制御情報生成部１１６は、スケジューラ１１５からの通知に基づいて、ＰＤＣＣＨを用いて送信する制御情報を生成する。この制御情報には、無線リソースの割り当てを示す情報や、ユーザデータに適用される変調符号化方式を示す情報などが含まれる。制御情報生成部１１６は、生成した制御情報をマッピング部１３５に出力する。
【００５２】
ＭＢＳＦＮ要求抽出部１１７は、移動局３００が送信したＭＢＳＦＮ要求（ＭＢＳＦＮ送信の要求を示す制御情報）を抽出する。ＭＢＳＦＮ要求は、ＭＢＭＳデータを示す情報を含み、ＵＬ無線フレームに設けられたＰＵＳＣＨで送信される。ＭＢＳＦＮ要求抽出部１１７は、抽出したＭＢＳＦＮ要求を、ＭＢＳＦＮ送信制御部１２０に出力する。
【００５３】
ＭＢＳＦＮ送信制御部１２０は、ＭＣＥ４１０と連携してＭＢＳＦＮ送信を制御する。具体的には、ＭＢＳＦＮ送信制御部１２０は、ＭＢＳＦＮ要求抽出部１１７からＭＢＳＦＮ要求を取得すると、ＭＣＥ４１０に転送する。また、基地局１００によるＭＢＳＦＮ送信の実行状況が所定の条件を満たす場合、測定要求生成部１３２に、ＭＢＳＦＮ送信を行っている周辺基地局を通知する。
【００５４】
また、ＭＢＳＦＮ送信制御部１２０は、品質情報抽出部１１４から取得した品質情報によって示される受信品質が所定の条件を満たす場合は、ＭＢＳＦＮ制御信号生成部１３１に、他の基地局からＭＢＭＳデータを受信させる指示を通知する。また、ＭＣＥ４１０にＭＢＳＦＮ送信を停止することを要求する。ＭＢＳＦＮ送信制御部１２０は、基地局１００に接続しており、且つ、ＭＢＭＳデータを受信している移動局の数が減少したことを検出したとき、ＭＢＳＦＮ要求を受信したときと同様の制御を行ってもよい。
【００５５】
ＭＢＳＦＮ制御信号生成部１３１は、ＭＢＳＦＮ送信制御部１２０からの通知に応じ、移動局３００に他の基地局からＭＢＭＳデータを受信させる指示を示す制御信号を生成する。また、ＭＣＥ４１０から受信した制御情報に基づいて、ＭＢＭＳデータを受信するために用いられるＭＢＳＦＮ制御信号を生成する。ＭＢＳＦＮ制御信号生成部１３１は、生成した制御信号をマッピング部１３５に出力する。
【００５６】
測定要求生成部１３２は、ＭＢＳＦＮ送信制御部１２０から通知を受けて、移動局３００に対する受信品質の測定要求を生成する。測定要求には、周辺基地局（例えば、基地局１００と同一のＭＢＳＦＮエリア内に存在する他の基地局）のうち、ＭＢＳＦＮ送信を行っている基地局を示す情報が含まれる。測定要求生成部１３２は、生成した測定要求をマッピング部１３５に出力する。
【００５７】
同期信号生成部１３３は、基地局１００が管理するセルに付与されたセルＩＤに対応する同期信号（プライマリ同期信号およびセカンダリ信号）を生成する。同期信号生成部１３３は、生成した同期信号をマッピング部１３５に出力する。
【００５８】
ＲＳ生成部１３４は、既知のパイロット信号である参照信号を生成する。ＲＳ生成部１３４は、生成した参照信号をマッピング部１３５に出力する。
マッピング部１３５は、ＭＢＭＳゲートウェイ５２０から取得するＭＢＭＳデータと、ＳＡＥゲートウェイから取得するＭＢＭＳデータ以外のユーザデータとを、ＤＬ無線フレームにマッピングする。また、制御情報生成部１１６、ＭＢＳＦＮ制御信号生成部１３１、測定要求生成部１３２、同期信号生成部１３３およびＲＳ生成部１３４から取得する制御情報／制御信号を、ＤＬ無線フレームにマッピングする。マッピング部１３５は、マッピング後のデータを符号化変調部１３６に順次出力する。
【００５９】
符号化変調部１３６は、マッピング部１３５から取得したデータを誤り訂正符号化および変調し、送信信号としてのベースバンド信号を生成して無線送信部１３７に出力する。符号化および変調には、所定の変調符号化方式またはスケジューラ１１５から指示された変調符号化方式を用いる。
【００６０】
無線送信部１３７は、符号化変調部１３６から取得した送信信号を無線信号処理し、低周波数のベースバンド信号から高周波数の無線信号へ変換（アップコンバート）を行う。無線送信部１３７は、無線信号処理のために、例えば、Ｄ／Ａ（Digital to Analog）変換器、周波数変換器、帯域通過フィルタ、電力増幅器などの回路を備える。
【００６１】
図６は、第２の実施の形態のＭＢＳＦＮ送信制御部を示すブロック図である。ＭＢＳＦＮ送信制御部１２０は、移動局数管理部１２１、品質閾値記憶部１２２、品質判定部１２３、送信判定部１２４および測定要求制御部１２５を有する。
【００６２】
移動局数管理部１２１は、基地局１００に接続している移動局のうち、基地局１００からＭＢＭＳデータを受信している移動局の数を管理する。移動局数管理部１２１は、ＭＢＳＦＮ要求抽出部１１７からＭＢＳＦＮ要求を取得すると、移動局数をインクリメントする。また、基地局１００に接続している移動局が他のセルにハンドオーバしたことやＭＢＭＳデータの受信を停止したことを検出すると、移動局数をデクリメントする。
【００６３】
品質閾値記憶部１２２は、移動局３００が他の基地局からＭＢＭＳデータを受信できるか否かの判断に用いる受信品質の閾値を記憶する。
品質判定部１２３は、品質情報抽出部１１４からＭＢＳＦＮ送信に関する品質情報を取得すると、品質情報が示す受信品質と品質閾値記憶部１２２に記憶された閾値とを比較する。このとき、取得した品質情報が、ＭＢＳＦＮ送信を行っている基地局それぞれの受信品質を示す情報である場合、品質判定部１２３は、個々の受信品質を統計処理して２以上の基地局全体の受信品質を算出して、閾値と比較する。そして、受信品質が閾値以上であるか否かを、送信判定部１２４に通知する。
【００６４】
送信判定部１２４は、ＭＢＳＦＮ要求抽出部１１７からＭＢＳＦＮ要求を取得すると、ＭＣＥ４１０にＭＢＳＦＮ要求を転送すると共に、移動局数管理部１２１が管理する移動局数と所定の閾値とを比較する。移動局数が閾値未満である場合、測定要求制御部１２５に、測定要求を送信することを通知する。その後、品質判定部１２３から受信品質が閾値以上であることが通知されると、送信判定部１２４は、ＭＢＭＳデータの送信停止をＭＣＥ４１０に要求すると共に、他の基地局からＭＢＭＳデータを受信させる指示をＭＢＳＦＮ制御信号生成部１３１に通知する。
【００６５】
すなわち、送信判定部１２４は、ＭＢＭＳデータを受信する移動局の数および受信品質の両方が条件を満たすとき、基地局１００がＭＢＭＳデータを送信しないよう制御する。一方、移動局の数および受信品質の少なくとも一方が条件を満たさないとき、基地局１００がＭＢＭＳデータを送信するよう制御する。
【００６６】
また、送信判定部１２４は、ＭＢＭＳデータを受信している移動局の数が減少したことを検出すると、移動局数管理部１２１が管理する移動局数と所定の閾値とを比較する。移動局数が閾値未満である場合、送信判定部１２４は、ＭＢＳＦＮ要求を取得したときと同様、基地局１００がＭＢＭＳデータを送信しないよう制御する。このとき、移動局数が閾値未満であることに加えて、受信品質が閾値以上であることを条件としてもよい。また、ＭＢＳＦＮ要求を取得したときの制御に用いる閾値と移動局数の減少が検出されたときの制御に用いる閾値とは、同じでもよいし異なってもよい。
【００６７】
測定要求制御部１２５は、周辺基地局のうちＭＢＳＦＮ送信を行っている基地局を管理する。測定要求制御部１２５は、送信判定部１２４からの通知を受けて、ＭＢＳＦＮ送信を行っている基地局を、測定要求生成部１３２に通知する。
【００６８】
図７は、第２の実施の形態の移動局を示すブロック図である。移動局３００は、アンテナ３１１、無線受信部３１２、復調復号部３１３、制御情報抽出部３１４、ＭＢＳＦＮ制御信号抽出部３１５、ＭＢＳＦＮ受信制御部３１６、端末制御部３１７、ＭＢＳＦＮ要求生成部３１８、同期信号抽出部３１９、同期制御部３２０、ＲＳ抽出部３２１、品質測定部３２２、品質情報生成部３２３、符号化変調部３２４および無線送信部３２５を有する。他の移動局も、移動局３００と同様のブロック構造によって実現できる。
【００６９】
アンテナ３１１は、１またはそれ以上の基地局が送信した無線信号を受信し、無線受信部３１２に出力する。また、アンテナ３１１は、無線送信部３２５から取得した送信信号を無線出力する。なお、送受信兼用のアンテナではなく、送信用アンテナと受信用アンテナとを別個に、移動局３００に設けてもよい。また、複数のアンテナを用いて、ダイバーシティ送信を行うようにしてもよい。
【００７０】
無線受信部３１２は、アンテナ３１１から取得した信号を無線信号処理し、無線信号からベースバンド信号へのダウンコンバートを行う。無線受信部３１２は、無線信号処理のために、例えば、低雑音増幅器、周波数変換器、帯域通過フィルタ、Ａ／Ｄ変換器などの回路を備える。
【００７１】
復調復号部３１３は、無線受信部３１２から取得したベースバンド信号を、復調および誤り訂正復号する。復調および復号は、所定の変調符号化方式または端末制御部３１７から指示された変調符号化方式に対応する方法で行う。
【００７２】
ここで、ＭＢＳＦＮにより送信されたＭＢＭＳデータを受信する場合、受信信号には、複数の基地局から送信された同一内容の信号が重畳されている。すなわち、移動局３００には、先行波と遅延波が重畳されているように見える。この場合、無線受信部３１２は、遅延時間がＣＰ長以下である遅延波に相当する信号も抽出する。復調復号部３１３は、抽出された各基地局からの信号を合成したものに対し、復調および復号を行う。
【００７３】
制御情報抽出部３１４は、ＰＤＣＣＨ（または、ＰＤＳＣＨ）で送信された制御情報を抽出する。この制御情報には、ＰＤＳＣＨやＰＵＳＣＨが割り当てられた無線リソースを示す情報や、これらチャネルに適用される変調符号化方式を示す情報などが含まれる。制御情報抽出部３１４は、抽出した制御情報を端末制御部３１７に出力する。
【００７４】
ＭＢＳＦＮ制御信号抽出部３１５は、ＭＢＳＦＮに関する制御信号を抽出する。ここで抽出される制御信号には、受信品質の測定要求、接続中の基地局以外の基地局からＭＢＭＳデータを受信することの指示を示す信号、および、ＰＭＣＨで送信されたＭＢＳＦＮ制御信号が含まれる。測定要求には、ＭＢＳＦＮ送信を行っている基地局を示す信号が含まれる。ＭＢＳＦＮ制御信号には、ＭＢＭＳデータの送信に用いられる無線リソースや、ＭＢＭＳデータに適用される変調符号化方式を示す信号などが含まれる。ＭＢＳＦＮ制御信号抽出部３１５は、抽出した制御信号をＭＢＳＦＮ受信制御部３１６に出力する。
【００７５】
ＭＢＳＦＮ受信制御部３１６は、ＭＢＭＳデータの受信を開始するとき、ＭＢＳＦＮ要求生成部３１８にＭＢＳＦＮ要求の送信を指示する。また、ＭＢＳＦＮ受信制御部３１６は、ＭＢＳＦＮ制御信号抽出部３１５から取得した制御信号に基づいて、ＭＢＭＳデータの受信処理を制御する。具体的には、受信品質の測定要求を取得すると、品質測定部３２２にＭＢＳＦＮ送信を行っている基地局を通知し、品質測定を指示する。また、他の基地局からＭＢＭＳデータを受信することの指示を示す信号やＭＢＳＦＮ制御信号を取得すると、制御信号の内容を端末制御部３１７に通知し、ＭＢＭＳデータの受信を指示する。
【００７６】
端末制御部３１７は、制御情報抽出部３１４から取得した制御情報に基づいて、ＭＢＭＳデータ以外のユーザデータの送受信を制御する。また、ＭＢＳＦＮ受信制御部３１６から通知される情報に基づいて、ＭＢＭＳデータの受信を制御する。そして、端末制御部３１７は、無線受信部３１２、復調復号部３１３、符号化変調部３２４および無線送信部３２５の動作を制御する。
【００７７】
ＭＢＳＦＮ要求生成部３１８は、ＭＢＳＦＮ受信制御部３１６からの指示を受けて、ＭＢＳＦＮ要求、すなわち、ＭＢＳＦＮ送信の開始要求を示す制御情報を生成する。ＭＢＳＦＮ要求生成部３１８は、生成したＭＢＳＦＮ要求を符号化変調部３２４に出力する。
【００７８】
同期信号抽出部３１９は、Ｐ−ＳＣＨおよびＳ−ＳＣＨで送信された同期信号（プライマリ同期信号およびセカンダリ同期信号）を抽出し、同期制御部３２０に出力する。
同期制御部３２０は、同期信号抽出部３１９から取得した同期信号に基づいて、無線フレームについてのタイミングを検出する。そして、検出したタイミングを、無線受信部３１２、復調復号部３１３、ＲＳ抽出部３２１、符号化変調部３２４および無線送信部３２５に通知すると共に、同期信号抽出部３１９にフィードバックする。
【００７９】
ＲＳ抽出部３２１は、ＤＬ無線フレームに含まれる参照信号を抽出し、抽出した参照信号を品質測定部３２２に出力する。
品質測定部３２２は、ＲＳ抽出部３２１から取得した参照信号を用いて、ＣＩＲなどの受信品質（または、無線回線品質）を測定する。ＭＢＳＦＮ受信制御部３１６から基地局が通知されたときは、通知された基地局について受信品質を測定する。品質測定部３２２は、測定結果を品質情報生成部３２３に出力すると共に、ＲＳ抽出部３２１にフィードバックする。
【００８０】
なお、ＭＢＳＦＮ送信を行っている基地局の受信品質は、通常サブフレームに含まれる参照信号を用いて測定してもよいし、ＭＢＳＦＮサブフレームに含まれる参照信号を用いて測定してもよい。前者の場合、基地局毎の受信品質を測定することができる。後者の場合、ＭＢＳＦＮ送信をしている２以上の基地局全体の受信品質を測定することができる。移動局３００が接続している基地局がＭＢＳＦＮ送信を行っている場合、品質測定部３２２は、更に接続中の基地局のＭＢＳＦＮ送信に関する受信品質を測定してもよい。
【００８１】
品質情報生成部３２３は、品質測定部３２２で測定された受信品質を示す制御情報である品質情報を生成する。品質情報としては、例えば、受信品質を離散値で表したＣＱＩ（Channel Quality Indication）を用いることができる。品質情報生成部３２３は、生成した品質情報を符号化変調部３２４に出力する。なお、品質情報は、基地局毎の受信品質を示す情報であってもよいし、ＭＢＳＦＮ送信を行う基地局全体の受信品質を示す情報であってもよい。後者の場合、品質情報生成部３２３は、基地局毎に測定された受信品質を統計処理して、全体の受信品質を算出してもよい。
【００８２】
符号化変調部３２４は、ＰＵＳＣＨで送信するユーザデータ、ＭＢＳＦＮ要求および品質情報を、誤り訂正符号化および変調し、移動局３００に割り当てられたＵＬ無線リソースにマッピングする。符号化および変調には、所定の変調符号化方式または端末制御部３１７から指示された変調符号化方式を用いる。符号化変調部３２４は、送信信号としてのベースバンド信号を、無線送信部３２５に出力する。
【００８３】
無線送信部３２５は、符号化変調部３２４から取得した送信信号を無線信号処理し、ベースバンド信号から無線信号へのアップコンバートを行う。無線送信部３２５は、無線信号処理のために、例えば、Ｄ／Ａ変換器、周波数変換器、帯域通過フィルタ、電力増幅器などの回路を備える。
【００８４】
図８は、第２の実施の形態の送信開始制御を示すフローチャートである。図８に示す制御処理をステップ番号に沿って説明する。
（ステップＳ１１）基地局１００は、移動局３００からＭＢＳＦＮ要求を受信する。
【００８５】
（ステップＳ１２）送信判定部１２４は、基地局１００に接続している移動局のうち、基地局１００からＭＢＭＳデータを受信している移動局の数を確認する。
（ステップＳ１３）送信判定部１２４は、ステップＳ１２で確認した移動局の数が、所定の閾値未満であるか判断する。移動局数が閾値未満の場合、処理をステップＳ１４に進める。それ以外の場合、処理をステップＳ１９に進める。
【００８６】
（ステップＳ１４）測定要求制御部１２５は、周辺基地局（例えば、基地局１００と同一のＭＢＳＦＮエリアに含まれる複数の基地局）のうち、現在、ＭＢＳＦＮ送信を行っている基地局を検索する。なお、検索する基地局は、移動局３００が要求したものと同じＭＢＭＳデータを送信している基地局に限定してもよい。
【００８７】
（ステップＳ１５）測定要求制御部１２５は、ＭＢＳＦＮ送信を行っている基地局が存在するか判断する。存在する場合、処理をステップＳ１６に進める。存在しない場合、処理をステップＳ１９に進める。このとき、ＭＢＳＦＮ送信を行っている基地局の数が２つ（または、２より大きい所定数）以上の場合のみ、処理をステップＳ１６に進め、それ以外の場合は、処理をステップＳ１９に進めるようにしてもよい。
【００８８】
（ステップＳ１６）基地局１００は、ＭＢＳＦＮ送信を行っている基地局を示す情報を含む測定要求を、移動局３００に送信する。その後、基地局１００は、通知した基地局についての品質情報を移動局３００から受信する。
【００８９】
（ステップＳ１７）品質判定部１２３は、移動局３００から受信した品質情報によって示される受信品質が基準を満たすか、すなわち、移動局３００が基地局１００以外の基地局からＭＢＭＳデータを受信できる状態であるかを判断する。受信品質が基準を満たす場合、処理をステップＳ１８に進める。それ以外の場合、処理をステップＳ１９に進める。
【００９０】
（ステップＳ１８）基地局１００は、ＭＢＳＦＮ送信を行っている他の基地局からＭＢＭＳデータを受信するよう、移動局３００に通知する。このとき、基地局１００は、移動局３００から要求されたＭＢＭＳデータを送信しなくてもよい。
【００９１】
（ステップＳ１９）基地局１００は、移動局３００から要求されたＭＢＭＳデータの送信を行う。移動局３００は、基地局１００からもＭＢＭＳデータを受信できる。
すなわち、基地局１００は、移動局３００からＭＢＳＦＮ要求を受け付けた場合でも、ＭＢＭＳデータを受信している配下の移動局の数が閾値未満であり、且つ、移動局３００における受信品質が閾値以上であれば、要求されたＭＢＭＳデータを送信しない。なお、基地局１００は、移動局３００が要求したＭＢＭＳデータを既に送信している場合には、移動局数にかかわらず、当該ＭＢＭＳデータの送信を継続してもよい。
【００９２】
図９は、第２の実施の形態の送信開始の流れを示すシーケンス図である。ここでは、基地局２００がＭＢＳＦＮ送信を行っており、基地局１００は要求されたＭＢＭＳデータを送信しない場合を考える。図９に示すシーケンスをステップ番号に沿って説明する。
【００９３】
（ステップＳ１１１）移動局３００は、基地局１００にＭＢＳＦＮ要求を送信する。
（ステップＳ１１２）基地局１００は、ＭＣＥ４１０にＭＢＳＦＮ要求を転送する。
（ステップＳ１１３）基地局１００は、自局のＭＢＳＦＮ送信の実行状況が所定の条件を満たすことを確認し、移動局３００に測定要求を送信する。測定要求には、ＭＢＳＦＮ送信を行っている基地局（少なくとも基地局２００を含む）を示す情報が含まれている。なお、ステップＳ１１２，Ｓ１１３の処理は逆順に行ってもよい。
【００９４】
（ステップＳ１１４）基地局２００は、ＤＬ無線フレームで同期信号を送信する。移動局３００は、受信した同期信号を用いて基地局２００と同期をとる。
（ステップＳ１１５）基地局２００は、ＤＬ無線フレームで参照信号を送信する。移動局３００は、受信した参照信号を用いてＭＢＳＦＮ送信についての受信品質を測定する。なお、移動局３００は、基地局１００から複数の基地局が通知された場合、ステップＳ１１４，Ｓ１１５の処理を通知された基地局毎に行うことがある。
【００９５】
（ステップＳ１１６）移動局３００は、ステップＳ１１５で測定されたＭＢＳＦＮ送信についての受信品質を示す品質情報を、基地局１００に送信する。
（ステップＳ１１７）基地局１００は、ＭＢＳＦＮ送信についての受信品質が所定の条件を満たすことを確認し、自局が移動局３００から要求されたＭＢＭＳデータを送信しないことを示すＭＢＳＦＮ停止要求を、ＭＣＥ４１０に送信する。
【００９６】
（ステップＳ１１８）ＭＣＥ４１０は、ＭＢＳＦＮ停止要求に対する応答であるＭＢＳＦＮ停止通知を、基地局１００に送信する。
（ステップＳ１１９）基地局１００は、他の基地局からＭＢＭＳデータを受信するように移動局３００に指示する。なお、ステップＳ１１７のＭＢＳＦＮ停止要求の送信とＳ１１９の処理とは、逆順に行ってもよい。また、ステップＳ１１８のＭＢＳＦＮ停止通知を受信する前に、ステップＳ１１９の処理を行ってもよい。
【００９７】
（ステップＳ１２０）ＭＣＥ４１０は、移動局３００が要求したＭＢＭＳデータについての制御情報（例えば、当該ＭＢＭＳデータの送信に用いる無線リソースや変調符号化方式などを示す情報）を、基地局２００を含むＭＢＳＦＮ送信を行う基地局に送信する。
【００９８】
（ステップＳ１２１）ＭＣＥ４１０は、移動局３００が要求したＭＢＭＳデータについての制御情報（例えば、当該ＭＢＭＳデータを送信する基地局などを示す情報）を、ＭＢＭＳゲートウェイ５２０に送信する。
【００９９】
（ステップＳ１２２）ＭＢＭＳゲートウェイ５２０は、ＭＢＭＳデータを、基地局２００を含むＭＢＳＦＮ送信を行う基地局に送信する。
（ステップＳ１２３）基地局２００は、ステップＳ１２０で受信したＭＢＳＦＮ制御情報に基づいてＭＢＳＦＮ制御信号を生成し、ＭＢＳＦＮサブフレームで送信する。
【０１００】
（ステップＳ１２４）基地局２００は、ステップＳ１２２で受信したＭＢＭＳデータをＭＢＳＦＮサブフレームで送信する。
図１０は、第２の実施の形態の送信停止制御を示す第１のフローチャートである。ここでは、移動局３００が基地局１００からＭＢＭＳデータを受信している場合を考える。図１０に示す制御処理をステップ番号に沿って説明する。
【０１０１】
（ステップＳ２１）送信判定部１２４は、基地局１００に接続している移動局のうち、基地局１００からＭＢＭＳデータを受信している移動局の数が減少したことを検出する。
（ステップＳ２２）送信判定部１２４は、減少後の移動局の数が、所定の閾値未満であるか判断する。移動局数が閾値未満の場合、処理をステップＳ２３に進める。それ以外の場合、処理を終了する。
【０１０２】
（ステップＳ２３）測定要求制御部１２５は、周辺基地局のうち、現在、ＭＢＳＦＮ送信を行っている基地局を検索する。なお、検索する基地局は、移動局３００が受信しているものと同じＭＢＭＳデータを送信している基地局に限定してもよい。
【０１０３】
（ステップＳ２４）測定要求制御部１２５は、ＭＢＳＦＮ送信を行っている基地局が存在するか判断する。存在する場合、処理をステップＳ２５に進める。存在しない場合、処理を終了する。このとき、ＭＢＳＦＮ送信を行っている基地局の数が２つ（または、２より大きい所定数）以上であることを条件としてもよい。
【０１０４】
（ステップＳ２５）基地局１００は、ＭＢＳＦＮ送信を行っている他の基地局からＭＢＭＳデータを受信するよう、移動局３００に通知する。
（ステップＳ２６）基地局１００は、移動局３００が基地局１００から受信していたＭＢＭＳデータの送信を停止する。
【０１０５】
上記説明では、移動局数が閾値未満であるときに、ＭＢＭＳデータの送信を停止することとした。一方、前述の通り、移動局数が閾値未満で且つ移動局３００の受信品質が閾値以上であるときに、ＭＢＭＳデータの送信を停止するようにしてもよい。
【０１０６】
図１１は、第２の実施の形態の送信停止制御を示す第２のフローチャートである。図１１に示す制御処理では、図１０に示した制御処理のステップＳ２４とステップＳ２５の間に、以下に説明するステップＳ２４ａ，Ｓ２４ｂを実行する。
【０１０７】
（ステップＳ２４ａ）基地局１００は、ＭＢＳＦＮ送信を行っている基地局を示す情報を含む測定要求を、移動局３００に送信する。その後、基地局１００は、通知した基地局についての品質情報を移動局３００から受信する。
【０１０８】
（ステップＳ２４ｂ）品質判定部１２３は、移動局３００から受信した品質情報によって示される受信品質が基準を満たすか判断する。受信品質が基準を満たす場合、処理をステップＳ２５に進める。それ以外の場合、処理を終了する。
【０１０９】
すなわち、基地局１００は、ＭＢＭＳデータを受信している配下の移動局の数が閾値未満になると、ＭＢＭＳデータの受信を停止する。または、移動局数が閾値未満になり、且つ、ＭＢＭＳデータを受信している移動局における受信品質が閾値以上である場合には、ＭＢＭＳデータの送信を停止する。なお、複数の移動局がＭＢＭＳデータを受信している場合、ステップＳ２４ｂにおける送信停止の可否の判断は、複数の移動局それぞれについて行ってもよいし、複数の移動局全体について行ってもよい。後者の場合、例えば、全ての移動局の受信品質が基準を満たすことを条件とすることが考えられる。
【０１１０】
図１２は、第２の実施の形態の送信停止の流れを示すシーケンス図である。ここでは、基地局２００がＭＢＳＦＮ送信を行っており、基地局１００は図１１に示した制御処理に従ってＭＢＭＳデータの送信を停止する場合を考える。図１２に示すシーケンスをステップ番号に沿って説明する。
【０１１１】
（ステップＳ１３１）基地局１００は、自局に接続している移動局のうち、基地局１００からＭＢＭＳデータを受信している移動局の数が減少したことを検出する。
（ステップＳ１３２）基地局１００は、自局のＭＢＳＦＮ送信の実行状況が所定の条件を満たすことを確認し、移動局３００に測定要求を送信する。測定要求には、ＭＢＳＦＮ送信を行っている基地局（少なくとも基地局２００を含む）を示す情報が含まれている。
【０１１２】
（ステップＳ１３３）基地局２００は、ＤＬ無線フレームで同期信号を送信する。移動局３００は、受信した同期信号を用いて基地局２００と同期をとる。
（ステップＳ１３４）基地局２００は、ＤＬ無線フレームで参照信号を送信する。移動局３００は、受信した参照信号を用いてＭＢＳＦＮ送信についての受信品質を測定する。
【０１１３】
（ステップＳ１３５）移動局３００は、ステップＳ１３４で測定されたＭＢＳＦＮ送信についての受信品質を示す品質情報を、基地局１００に送信する。
（ステップＳ１３６）基地局１００は、ＭＢＳＦＮ送信についての受信品質が所定の条件を満たすことを確認し、自局がＭＢＭＳデータの送信を停止することを示すＭＢＳＦＮ停止要求を、ＭＣＥ４１０に送信する。
【０１１４】
（ステップＳ１３７）ＭＣＥ４１０は、ＭＢＳＦＮ停止要求に対する応答であるＭＢＳＦＮ停止通知を、基地局１００に送信する。
（ステップＳ１３８）基地局１００は、他の基地局からＭＢＭＳデータを受信するように移動局３００に指示する。なお、ステップＳ１３６のＭＢＳＦＮ停止要求の送信とＳ１３８の処理とは、逆順に行ってもよい。また、ステップＳ１３７のＭＢＳＦＮ停止通知を受信する前に、ステップＳ１３８の処理を行ってもよい。
【０１１５】
（ステップＳ１３９）ＭＣＥ４１０は、移動局３００が受信するＭＢＭＳデータについての制御情報（例えば、当該ＭＢＭＳデータの送信に用いる無線リソースや変調符号化方式などを示す情報）を、基地局２００を含むＭＢＳＦＮ送信を行う基地局に送信する。
【０１１６】
（ステップＳ１４０）ＭＣＥ４１０は、移動局３００が受信するＭＢＭＳデータについての制御情報（例えば、当該ＭＢＭＳデータを送信する基地局などを示す情報）を、ＭＢＭＳゲートウェイ５２０に送信する。
【０１１７】
（ステップＳ１４１）ＭＢＭＳゲートウェイ５２０は、ＭＢＭＳデータを、基地局２００を含むＭＢＳＦＮ送信を行う基地局に送信する。
（ステップＳ１４２）基地局２００は、ステップＳ１３９で受信したＭＢＳＦＮ制御情報に基づいてＭＢＳＦＮ制御信号を生成し、ＭＢＳＦＮサブフレームで送信する。
【０１１８】
（ステップＳ１４３）基地局２００は、ステップＳ１４１で受信したＭＢＭＳデータをＭＢＳＦＮサブフレームで送信する。
ところで、図９，１２に示したシーケンスでは、基地局１００がＭＢＭＳデータを送信しないとき、移動局３００は基地局２００からＭＢＳＦＮ制御信号を受信している。しかし、ＭＢＳＦＮ制御信号とＭＢＭＳデータ以外のユーザデータとを移動局３００が何れの基地局から受信するかについては、以下に説明する通り、幾つかの選択肢が考えられる。
【０１１９】
図１３は、複数の基地局と移動局との関係を示す第１の図である。図１３に示す通り、移動局３００は、基地局１００に接続し、基地局１００からの指示を受けて基地局２００からＭＢＭＳデータを受信する。このとき、移動局３００は、ＭＢＳＦＮ制御信号については、基地局１００から受信する。また、ＭＢＭＳデータ以外のユーザデータ（通常データ）を基地局１００から受信する。すなわち、図１３の例では、移動局３００は基地局１００との接続を維持しつつ、ＭＢＭＳデータのみを基地局１００以外の基地局から受信することになる。
【０１２０】
図１４は、複数の基地局と移動局との関係を示す第２の図である。図１４に示す通り、移動局３００は、基地局１００に接続し、基地局１００からの指示を受けて基地局２００からＭＢＭＳデータを受信する。このとき、移動局３００は、ＭＢＳＦＮ制御信号も基地局２００から受信する。一方、ＭＢＭＳデータ以外のユーザデータについては、基地局１００から受信する。すなわち、図１４の例では、移動局３００は基地局１００との接続を維持しつつ、ＭＢＭＳデータとＭＢＳＦＮ制御信号のみを基地局１００以外の基地局から受信することになる。
【０１２１】
図１５は、複数の基地局と移動局との関係を示す第３の図である。図１５に示す通り、移動局３００は、基地局１００に接続し、基地局１００からの指示を受けて基地局２００からＭＢＭＳデータを受信する。このとき、移動局３００は、ＭＢＳＦＮ制御信号とＭＢＭＳデータ以外のユーザデータも、基地局２００から受信する。すなわち、図１５の例では、移動局３００は、接続先を基地局１００から基地局２００に切り替える（ハンドオーバする）ことになる。なお、ハンドオーバ先の基地局は、例えば、ＭＢＳＦＮ送信を行っている基地局のうち移動局３００における受信品質が最も高いものを選択すればよい。
【０１２２】
以上説明した制御により、ＭＢＳＦＮエリア内に存在する基地局の一部を、ＭＢＭＳデータを送信していない状態にすることができる。
図１６は、ＭＢＳＦＮエリアの例を示す図である。この例では、ＭＢＳＦＮエリアに、セル＃１〜＃１９が含まれている。セル＃１は基地局１００が管理するセルであり、移動局３００はセル＃１に在圏している。セル＃１〜＃１９のうち、セル＃２，＃４，＃６，＃１０，＃１４，＃１８は移動局３００が受信するＭＢＭＳデータを送信しており、他のセルは当該ＭＢＭＳデータを送信していない。移動局３００は、セル＃２，＃４，＃６，＃１０，＃１４，＃１８からの無線信号を合成・復調して、ＭＢＭＳデータを抽出する。
【０１２３】
ここで、無線リソースの利用効率について考える。前述の通り、ＭＢＳＦＮサブフレームと通常サブフレームとは構造が異なることから、ＭＢＭＳデータとＭＢＭＳデータ以外のユーザデータとは同一サブフレームに含めて送信されない。よって、送信するＭＢＭＳデータの量が小さい場合には、ＭＢＳＦＮサブフレーム内に使用されない空きの無線リソースが生じ、無線リソースの利用効率が低下する。この問題は、ＭＢＳＦＮ送信を行う基地局の数を抑制することで、緩和される。
【０１２４】
例えば、ＭＢＳＦＮ送信の停止制御を行う前の状態として、セル＃１〜＃１９の全てでＭＢＳＦＮサブフレームが送信されているとする。そして、セル＃２，＃４，＃６，＃１０，＃１４，＃１８にそれぞれ、当該ＭＢＳＦＮサブフレームを受信する移動局が１０個在圏しており、他のセルにそれぞれ、当該ＭＢＳＦＮサブフレームを受信する移動局が１個在圏しているとする。この場合、当該１つのタイミングのサブフレームは、エリア全体で、６セル×１０個＋１３セル×１個＝７３個の移動局を収容していることになる。
【０１２５】
一方、上記のＭＢＳＦＮ送信の停止制御を行った後の状態として、セル＃２，＃４，＃６，＃１０，＃１４，＃１８ではＭＢＳＦＮサブフレームが引き続き送信される一方、他のセルではＭＢＳＦＮサブフレームの送信が停止されたとする。そして、ＭＢＳＦＮ送信が停止されたセルに在圏する移動局は、セル＃２，＃４，＃６，＃１０，＃１４，＃１８からＭＢＳＦＮサブフレームを受信するとする。
【０１２６】
更に、ＭＢＳＦＮ送信が停止されたセルでは、ＭＢＳＦＮサブフレームに代えて通常サブフレームが送信されるとする。通常サブフレームは、ＭＢＭＳデータ以外のユーザデータを受信する移動局を１０個収容することができるとする。この場合、当該１つのタイミングのサブフレームは、エリア全体で、上記７３個のＭＢＭＳデータを受信する移動局に加えて、１３セル×１０個＝１３０個の移動局を収容することになる。以上説明した例では、ＭＢＳＦＮ送信の停止制御を行うことで、あるタイミングのサブフレームが収容できる移動局の数が約２．８倍に増加している。
【０１２７】
なお、ＭＢＳＦＮ送信を行う基地局の数をより抑制するためには、移動局３００がより遠くの基地局からＭＢＭＳデータを受信できる方が好ましい。そこで、ＭＢＳＦＮ送信を行う基地局が、ＭＢＳＦＮサブフレームの送信電力を増大させる方法が考えられる。
【０１２８】
図１７は、基地局の送信電力制御を示す図である。図１７において、サブフレーム＃ｎ−１，＃ｎ＋１は通常サブフレームであり、サブフレーム＃ｎはＭＢＳＦＮサブフレームである。これらサブフレームを送信する基地局は、サブフレーム＃ｎ−１，＃ｎ＋１を通常の送信電力で送信する一方、サブフレーム＃ｎを通常より高い送信電力で送信する。このとき、サブフレーム＃ｎ−１とサブフレーム＃ｎの境界、および、サブフレーム＃ｎとサブフレーム＃ｎ＋１の境界では、段階的に送信電力を変化させてもよい。これにより、送信電力を急激に変化させた場合よりも、ノイズの発生を抑制することができる。更に、送信信号に対してコサインフィルタなどを用いて、送信信号の高周波成分を除去することで、ノイズの発生を抑制することも可能である。
【０１２９】
図１８は、ＭＢＳＦＮエリアの例を示す他の図である。ＭＢＳＦＮサブフレームの送信電力を通常サブフレームより大きくした場合、移動局３００からは、ＭＢＳＦＮ送信が行われているときのみ周辺セルのセル半径が大きくなっているように見える。これにより、移動局３００は多くの基地局からＭＢＭＳデータを受信でき、受信品質を向上できる。
【０１３０】
このような第２の実施の形態の移動通信システムによれば、基地局１００は、ＭＢＭＳデータを受信している配下の移動局が少なく、配下の移動局が他の基地局からＭＢＭＳデータを受信可能な状態にあれば、ＭＢＳＦＮ送信を停止できる。よって、ＭＢＳＦＮ送信を行う基地局と行わない基地局が混在したＭＢＳＦＮエリアを提供でき、無線リソースの利用効率の向上を図ることができる。また、ＭＢＳＦＮ送信を行っている基地局からＭＢＭＳデータを受信するよう、移動局３００の受信処理を円滑に制御できる。
【０１３１】
［第３の実施の形態］
次に、第３の実施の形態について説明する。前述の第２の実施の形態との差異を中心に説明し、同様の事項については説明を省略する。第３の実施の形態に係る移動通信システムは、基地局によるＭＢＳＦＮ送信の可否の判断方法が、第２の実施の形態と異なる。
【０１３２】
第３の実施の形態の移動通信システムは、図２に示した第２の実施の形態と同様のシステム構成によって実現できる。また、第３の実施の形態の基地局および移動局は、図５，７に示した第２の実施の形態と同様のブロック構成によって実現できる。ただし、ＭＢＳＦＮ送信制御部１２０に代えて、以下に説明するＭＢＳＦＮ送信制御部１４０を用いる。
【０１３３】
図１９は、第３の実施の形態のＭＢＳＦＮ送信制御部を示すブロック図である。ＭＢＳＦＮ送信制御部１４０は、効率閾値記憶部１４１、伝送効率判定部１４２、品質閾値記憶部１４３、品質判定部１４４、送信判定部１４５および測定要求制御部１４６を有する。
【０１３４】
効率閾値記憶部１４１は、基地局１００がＭＢＳＦＮ送信を停止するのが好ましいか否かの判断に用いる伝送効率の閾値を記憶する。伝送効率は、ＭＢＳＦＮ送信についての無線リソースの利用効率を示す指標であり、例えば、ＭＢＳＦＮサブフレーム内の無線リソースの量に対する基地局１００が送信するＭＢＭＳデータの総量の割合（すなわち、ＭＢＳＦＮサブフレーム内の無線リソースの使用率）と定義することができる。
【０１３５】
伝送効率判定部１４２は、ＭＢＳＦＮ要求抽出部１１７からＭＢＳＦＮ要求を取得すると、要求されたＭＢＭＳデータを基地局１００が送信する場合の伝送効率を算出する。そして、算出した伝送効率と効率閾値記憶部１４１に記憶された閾値とを比較し、伝送効率が閾値以上であるか否か送信判定部１４５に通知する。また、伝送効率判定部１４２は、基地局１００に接続している移動局のうちＭＢＭＳデータを受信している移動局の減少を検出すると、伝送効率を再計算し、伝送効率が閾値以上であるか否かを送信判定部１４５に通知する。なお、各ＭＢＭＳデータのデータ量の情報はＭＣＥ４１０から取得できる。
【０１３６】
送信判定部１４５は、ＭＢＳＦＮ要求抽出部１１７からＭＢＳＦＮ要求を取得すると、ＭＣＥ４１０にＭＢＳＦＮ要求を転送する。また、伝送効率判定部１４２から伝送効率が閾値未満であることが通知されると、測定要求制御部１４６に測定要求を送信することを通知する。その後に、品質判定部１４４から受信品質が閾値以上であることが通知されると、ＭＢＭＳデータの送信停止をＭＣＥ４１０に要求すると共に、他の基地局からＭＢＭＳデータを受信させる指示をＭＢＳＦＮ制御信号生成部１３１に通知する。
【０１３７】
また、送信判定部１４５は、ＭＢＭＳデータを受信している移動局の数の減少により、伝送効率判定部１４２から伝送効率が閾値未満になったことが通知されると、ＭＢＳＦＮ要求を取得したときと同様、基地局１００がＭＢＭＳデータを送信しないよう制御する。
【０１３８】
品質閾値記憶部１４３、品質判定部１４４および測定要求制御部１４６の動作は、ＭＢＳＦＮ送信制御部１２０の品質閾値記憶部１２２、品質判定部１２３および測定要求制御部１２５と同様である。
【０１３９】
図２０は、第３の実施の形態の送信開始制御を示すフローチャートである。図２０に示す制御処理をステップ番号に沿って説明する。
（ステップＳ３１）基地局１００は、移動局３００からＭＢＳＦＮ要求を受信する。
【０１４０】
（ステップＳ３２）伝送効率判定部１４２は、要求されたＭＢＭＳデータを基地局１００が送信した場合のＭＢＳＦＮサブフレームの伝送効率を算出する。
（ステップＳ３３）伝送効率判定部１４２は、ステップＳ３２で算出した伝送効率が、所定の閾値未満であるか判断する。伝送効率が閾値未満の場合、処理をステップＳ３４に進める。それ以外の場合、処理をステップＳ３９に進める。
【０１４１】
（ステップＳ３４）測定要求制御部１４６は、周辺基地局のうち、現在、ＭＢＳＦＮ送信を行っている基地局を検索する。
（ステップＳ３５）測定要求制御部１４６は、ＭＢＳＦＮ送信を行っている基地局が存在するか判断する。存在する場合、処理をステップＳ３６に進める。存在しない場合、処理をステップＳ３９に進める。
【０１４２】
（ステップＳ３６）基地局１００は、ＭＢＳＦＮ送信を行っている基地局を示す情報を含む測定要求を、移動局３００に送信する。その後、基地局１００は、通知した基地局についての品質情報を移動局３００から受信する。
【０１４３】
（ステップＳ３７）品質判定部１４４は、移動局３００から受信した品質情報によって示される受信品質が基準を満たすか判断する。受信品質が基準を満たす場合、処理をステップＳ３８に進める。それ以外の場合、処理をステップＳ３９に進める。
【０１４４】
（ステップＳ３８）基地局１００は、ＭＢＳＦＮ送信を行っている他の基地局からＭＢＭＳデータを受信するよう、移動局３００に通知する。
（ステップＳ３９）基地局１００は、移動局３００から要求されたＭＢＭＳデータの送信を行う。移動局３００は、基地局１００からもＭＢＭＳデータを受信できる。
【０１４５】
すなわち、基地局１００は、移動局３００からＭＢＳＦＮ要求を受け付けた場合でも、ＭＢＳＦＮサブフレームの伝送効率が閾値未満であり、且つ、移動局３００における受信品質が閾値以上であれば、要求されたＭＢＭＳデータを送信しない。
【０１４６】
図２１は、第３の実施の形態の送信停止制御を示す第１のフローチャートである。ここでは、第１の方法として、移動局３００における受信品質が閾値以上であることを条件としない場合を考える。図２１に示す制御処理をステップ番号に沿って説明する。
【０１４７】
（ステップＳ４１）伝送効率判定部１４２は、基地局１００に接続している移動局のうち基地局１００からＭＢＭＳデータを受信している移動局が減少したことを検出する。
（ステップＳ４２）伝送効率判定部１４２は、移動局数の減少後のＭＢＳＦＮサブフレームの伝送効率を算出する。
【０１４８】
（ステップＳ４３）伝送効率判定部１４２は、ステップＳ４２で算出した伝送効率が、所定の閾値未満であるか判断する。伝送効率が閾値未満の場合、処理をステップＳ４４に進める。それ以外の場合、処理を終了する。
【０１４９】
（ステップＳ４４）測定要求制御部１４６は、周辺基地局のうち、現在、ＭＢＳＦＮ送信を行っている基地局を検索する。
（ステップＳ４５）測定要求制御部１４６は、ＭＢＳＦＮ送信を行っている基地局が存在するか判断する。存在する場合、処理をステップＳ４６に進める。存在しない場合、処理を終了する。
【０１５０】
（ステップＳ４６）基地局１００は、ＭＢＳＦＮ送信を行っている他の基地局からＭＢＭＳデータを受信するよう、移動局３００に通知する。
（ステップＳ４７）基地局１００は、移動局３００が基地局１００から受信していたＭＢＭＳデータの送信を停止する。
【０１５１】
図２２は、第３の実施の形態の送信停止制御を示す第２のフローチャートである。ここでは、第２の方法として、移動局３００における受信品質が閾値以上であることを条件とする場合を考える。図２２に示す制御処理では、図２１に示した制御処理のステップＳ４５とステップＳ４６の間に、以下に説明するステップＳ４５ａ，Ｓ４５ｂを実行する。
【０１５２】
（ステップＳ４５ａ）基地局１００は、ＭＢＳＦＮ送信を行っている基地局を示す情報を含む測定要求を、移動局３００に送信する。その後、基地局１００は、通知した基地局についての品質情報を移動局３００から受信する。
【０１５３】
（ステップＳ４５ｂ）品質判定部１４４は、移動局３００から受信した品質情報によって示される受信品質が基準を満たすか判断する。受信品質が基準を満たす場合、処理をステップＳ４６に進める。それ以外の場合、処理を終了する。
【０１５４】
すなわち、基地局１００は、ＭＢＳＦＮサブフレームの伝送効率が閾値未満になると、ＭＢＭＳデータの受信を停止する。または、ＭＢＳＦＮサブフレームの伝送効率が閾値未満になり、且つ、ＭＢＭＳデータを受信している移動局における受信品質が閾値以上である場合には、ＭＢＭＳデータの送信を停止する。
【０１５５】
このような第２の実施の形態の移動通信システムによれば、基地局１００は、ＭＢＳＦＮサブフレームの伝送効率が低く、配下の移動局が他の基地局からＭＢＭＳデータを受信可能な状態にあれば、ＭＢＳＦＮ送信を停止できる。よって、ＭＢＳＦＮ送信を行う基地局と行わない基地局が混在したＭＢＳＦＮエリアを提供でき、無線リソースの利用効率の向上を図ることができる。また、ＭＢＳＦＮ送信を行っている基地局からＭＢＭＳデータを受信するよう、移動局３００の受信処理を円滑に制御できる。
【０１５６】
なお、第２の実施の形態で説明したＭＢＭＳデータを受信している移動局数に基づく判断方法と、第３の実施の形態で説明した伝送効率に基づく判断方法とは、組み合わせて用いてもよい。例えば、移動局数が閾値未満で且つ伝送効率が閾値未満のときに、移動局３００に他の基地局からＭＢＭＳデータを受信するよう指示するようにしてもよい。
【０１５７】
［第４の実施の形態］
次に、第４の実施の形態について説明する。前述の第２の実施の形態との差異を中心に説明し、同様の事項については説明を省略する。第４の実施の形態に係る移動通信システムでは、基地局がＭＢＳＦＮ送信を行うか否かの判断をＭＣＥが行う。
【０１５８】
第４の実施の形態の移動通信システムは、図２に示した第２の実施の形態と同様のシステム構成によって実現できる。また、第４の実施の形態の基地局および移動局は、図５，７に示した第２の実施の形態と同様のブロック構成によって実現できる。ただし、ＭＢＳＦＮ送信制御部１２０に代えて、以下に説明するＭＢＳＦＮ送信制御部１５０を用いる。また、ＭＣＥ４１０に代えて、以下に説明するＭＣＥ４２０を用いる。
【０１５９】
図２３は、第４の実施の形態のＭＢＳＦＮ送信制御部を示すブロック図である。ＭＢＳＦＮ送信制御部１５０は、品質情報集約部１５１、品質情報記憶部１５２、ＭＣＥ通信部１５３および測定要求制御部１５４を有する。
【０１６０】
品質情報集約部１５１は、品質情報抽出部１１４からＭＢＳＦＮ送信に関する品質情報を取得すると、取得した品質情報を品質情報記憶部１５２に格納する。そして、品質情報記憶部１５２に記憶された品質情報を集約して、ＭＣＥ通信部１５３に出力する。このとき、品質情報が、ＭＢＳＦＮ送信を行っている基地局それぞれの受信品質を示す情報である場合、品質情報集約部１５１は、個々の受信品質を統計処理して２以上の基地局全体の受信品質を算出し、集約した品質情報として出力してもよい。
【０１６１】
品質情報記憶部１５２は、ＭＢＳＦＮ要求抽出部１１７からＭＢＳＦＮ要求を取得すると共に、品質情報集約部１５１から品質情報を取得する。そして、ＭＢＳＦＮ要求を送信した移動局と対応付けて、品質情報を記憶する。
【０１６２】
ＭＣＥ通信部１５３は、ＭＣＥ４２０との間で各種の制御情報を送受信する。具体的には、ＭＣＥ通信部１５３は、ＭＢＳＦＮ要求抽出部１１７から取得したＭＢＳＦＮ要求をＭＣＥ４２０に転送する。ＭＣＥ４２０から測定要求を受信すると、測定要求制御部１５４に出力する。また、品質情報集約部１５１から取得した品質情報をＭＣＥ４２０に転送する。基地局１００以外の基地局からＭＢＭＳデータを受信させる指示を示す制御情報をＭＣＥ４２０から受信すると、当該指示をＭＢＳＦＮ制御信号生成部１３１に通知する。
【０１６３】
測定要求制御部１５４は、ＭＣＥ通信部１５３から測定要求を取得すると、ＭＢＳＦＮ送信を行っている基地局を、測定要求生成部１３２に通知する。
図２４は、第４の実施の形態のＭＣＥを示すブロック図である。ＭＣＥ４２０は、移動局数管理部４２１、品質閾値記憶部４２２、品質判定部４２３、送信判定部４２４、ＭＢＳＦＮ送信制御部４２５およびスケジューラ４２６を有する。
【０１６４】
移動局数管理部４２１は、複数の基地局それぞれについて、当該基地局に接続している移動局のうち、当該基地局からＭＢＭＳデータを受信している移動局の数を管理する。
品質閾値記憶部４２２は、移動局３００が他の基地局からＭＢＭＳデータを受信できるか否かの判断に用いる受信品質の閾値を記憶する。
【０１６５】
品質判定部４２３は、基地局１００からＭＢＳＦＮ送信に関する品質情報を受信したとき、品質情報が示す受信品質と品質閾値記憶部４２２に記憶された閾値とを比較する。そして、受信品質が閾値以上であるか否かを、送信判定部４２４に通知する。
【０１６６】
送信判定部４２４は、基地局１００からＭＢＳＦＮ要求を受信すると、移動局数管理部４２１が管理する移動局数と所定の閾値とを比較し、閾値未満である場合、基地局１００に測定要求を送信する。その後、品質判定部４２３から受信品質が閾値以上であることが通知されると、ＭＢＭＳデータの送信停止をＭＢＳＦＮ送信制御部４２５に通知する。
【０１６７】
また、送信判定部４２４は、ＭＢＭＳデータを受信している移動局の数が減少したことを検出すると、移動局数管理部４２１が管理する移動局数と所定の閾値とを比較する。移動局数が閾値未満である場合、ＭＢＳＦＮ要求を取得したときと同様、ＭＢＭＳデータの送信停止をＭＢＳＦＮ送信制御部４２５に通知する。このとき、移動局数が閾値未満であることに加えて、受信品質が閾値以上であることを条件としてもよい。
【０１６８】
ＭＢＳＦＮ送信制御部４２５は、送信判定部４２４からの通知に応じて、ＭＢＳＦＮ送信を行う基地局およびＭＢＭＳゲートウェイ５２０に、ＭＢＳＦＮ制御情報を送信する。例えば、基地局１００に、基地局１００以外の基地局からＭＢＭＳデータを受信させる指示を示す制御情報を送信する。また、ＭＢＳＦＮ送信を行う基地局に、ＭＢＭＳデータの送信に用いる無線リソースや変調符号化方式を示す情報を送信する。また、ＭＢＭＳゲートウェイ５２０に、ＭＢＭＳデータを送信する基地局を示す情報を送信する。
【０１６９】
スケジューラ４２６は、ＭＢＳＦＮ送信のスケジューリングを行う。すなわち、ＭＢＭＳデータの送信に用いる無線リソースや変調符号化方式を選択する。また、ＭＢＳＦＮ送信のタイミングまたはＭＢＳＦＮ送信に用いるスロットを選択する。
【０１７０】
図２５は、第４の実施の形態の送信開始の流れを示すシーケンス図である。図２５に示すシーケンスをステップ番号に沿って説明する。
（ステップＳ２１１）移動局３００は、基地局１００にＭＢＳＦＮ要求を送信する。
【０１７１】
（ステップＳ２１２）基地局１００は、ＭＣＥ４２０にＭＢＳＦＮ要求を転送する。
（ステップＳ２１３）ＭＣＥ４２０は、基地局１００のＭＢＳＦＮ送信の実行状況が所定の条件を満たすことを確認し、基地局１００に測定要求を送信する。
【０１７２】
（ステップＳ２１４）基地局１００は、移動局３００に測定要求を転送する。
（ステップＳ２１５）基地局２００は、ＤＬ無線フレームで同期信号を送信する。移動局３００は、受信した同期信号を用いて基地局２００と同期をとる。
【０１７３】
（ステップＳ２１６）基地局２００は、ＤＬ無線フレームで参照信号を送信する。移動局３００は、受信した参照信号を用いてＭＢＳＦＮ送信についての受信品質を測定する。  （ステップＳ２１７）移動局３００は、ステップＳ２１６で測定されたＭＢＳＦＮ送信についての受信品質を示す品質情報を、基地局１００に送信する。
【０１７４】
（ステップＳ２１８）基地局１００は、品質情報をＭＣＥ４２０に転送する。
（ステップＳ２１９）ＭＣＥ４２０は、品質情報によって示される受信品質が所定の条件を満たすことを確認し、基地局１００が移動局３００から要求されたＭＢＭＳデータを送信しないことを示すＭＢＳＦＮ停止通知を、基地局１００に送信する。
【０１７５】
（ステップＳ２２０）ＭＣＥ４２０は、移動局３００が基地局１００以外の基地局からＭＢＭＳデータを受信する指示を、基地局１００に送信する。
（ステップＳ２２１）基地局１００は、ＭＣＥ４２０から受信した指示を移動局３００に転送する。
【０１７６】
（ステップＳ２２２）ＭＣＥ４２０は、移動局３００が要求したＭＢＭＳデータについての制御情報を、基地局２００を含むＭＢＳＦＮ送信を行う基地局に送信する。
（ステップＳ２２３）ＭＣＥ４２０は、移動局３００が要求したＭＢＭＳデータについての制御情報を、ＭＢＭＳゲートウェイ５２０に送信する。
【０１７７】
（ステップＳ２２４）ＭＢＭＳゲートウェイ５２０は、ＭＢＭＳデータを、基地局２００を含むＭＢＳＦＮ送信を行う基地局に送信する。
（ステップＳ２２５）基地局２００は、ステップＳ２２２で受信したＭＢＳＦＮ制御情報に基づいてＭＢＳＦＮ制御信号を生成し、ＭＢＳＦＮサブフレームで送信する。
【０１７８】
（ステップＳ２２６）基地局２００は、ステップＳ２２４で受信したＭＢＭＳデータをＭＢＳＦＮサブフレームで送信する。
図２６は、第４の実施の形態の送信停止の流れを示すシーケンス図である。図２６に示すシーケンスをステップ番号に沿って説明する。
【０１７９】
（ステップＳ２３１）ＭＣＥ４２０は、基地局１００に接続している移動局のうち、基地局１００からＭＢＭＳデータを受信している移動局の数が減少したことを検出する。
（ステップＳ２３２）ＭＣＥ４２０は、基地局１００のＭＢＳＦＮ送信の実行状況が所定の条件を満たすことを確認し、基地局１００に測定要求を送信する。
【０１８０】
（ステップＳ２３３）基地局１００は、移動局３００に測定要求を転送する。
以下、ステップＳ２３４〜Ｓ２４５として、図２５のステップＳ２１５〜Ｓ２２６と同様の処理を行う。
【０１８１】
このような第４の実施の形態の移動通信システムによれば、第２の実施の形態と同様の効果が得られる。また、第４の実施の形態では、ＭＣＥ４２０が一元的に複数の基地局それぞれのＭＢＳＦＮ送信の可否を判断するため、効率的に判断を行うことができる。
【０１８２】
［第５の実施の形態］
次に、第５の実施の形態について説明する。前述の第４の実施の形態との差異を中心に説明し、同様の事項については説明を省略する。第５の実施の形態に係る移動通信システムでは、第３の実施の形態と同様に、ＭＢＳＦＮ送信の可否を伝送効率に基づいて判断する。第５の実施の形態の移動通信システムは、第４の実施の形態と同様の基地局および移動局を用いて実現できる。ただし、第５の実施の形態では、ＭＣＥ４２０に代えて、以下に説明するＭＣＥ４３０を用いる。
【０１８３】
図２７は、第５の実施の形態のＭＣＥを示すブロック図である。ＭＣＥ４３０は、効率閾値記憶部４３１、伝送効率判定部４３２、品質閾値記憶部４３３、品質判定部４３４、送信判定部４３５、ＭＢＳＦＮ送信制御部４３６およびスケジューラ４３７を有する。
【０１８４】
効率閾値記憶部４３１は、伝送効率の閾値を記憶する。
伝送効率判定部４３２は、基地局１００からＭＢＳＦＮ要求を取得すると、要求されたＭＢＭＳデータを基地局１００が送信する場合の伝送効率を算出する。そして、算出した伝送効率が効率閾値記憶部４３１に記憶された閾値以上であるか否かを送信判定部４３５に通知する。また、伝送効率判定部４３２は、基地局１００に接続している移動局のうちＭＢＭＳデータを受信している移動局の減少を検出すると、伝送効率を再計算し、伝送効率が閾値以上であるか否かを送信判定部４３５に通知する。なお、基地局１００が送信するＭＢＭＳデータの総量は、ＭＢＳＦＮ送信制御部４３６およびスケジューラ４３７から取得する情報に基づいて特定することができる。
【０１８５】
送信判定部４３５は、基地局１００からＭＢＳＦＮ要求を受信したとき、伝送効率判定部４３２から伝送効率が閾値未満であることが通知されると、基地局１００に測定要求を送信する。その後に、品質判定部４３４から受信品質が閾値以上であることが通知されると、ＭＢＭＳデータの送信停止をＭＢＳＦＮ送信制御部４３６に通知する。
【０１８６】
また、送信判定部４３５は、ＭＢＭＳデータを受信している移動局の数の減少により、伝送効率判定部４３２から基地局１００の伝送効率が閾値未満になったことが通知されると、ＭＢＳＦＮ要求を取得したときと同様、ＭＢＭＳデータの送信停止をＭＢＳＦＮ送信制御部４３６に通知する。このとき、伝送効率が閾値未満であることに加えて、移動局３００の受信品質が閾値以上であることを条件としてもよい。
【０１８７】
品質閾値記憶部４３３、品質判定部４３４、ＭＢＳＦＮ送信制御部４３６およびスケジューラ４３７の動作は、ＭＣＥ４２０の品質閾値記憶部４２２、品質判定部４２３、ＭＢＳＦＮ送信制御部４２５およびスケジューラ４２６と同様である。
【０１８８】
このような第５の実施の形態の移動通信システムによれば、第３の実施の形態と同様の効果が得られる。また、第５の実施の形態では、ＭＣＥ４３０が一元的に複数の基地局それぞれのＭＢＳＦＮ送信の可否を判断するため、効率的に判断を行うことができる。
【０１８９】
［第６の実施の形態］
次に、第６の実施の形態について説明する。前述の第２の実施の形態との差異を中心に説明し、同様の事項については説明を省略する。第６の実施の形態に係る移動通信システムでは、ＭＢＳＦＮ送信についての受信品質が所定の閾値を超えているか否かを、移動局が判定する。第６の実施の形態の移動通信システムでは、前述の移動局３００に代えて、以下に説明する移動局３００ａを用いる。
【０１９０】
図２８は、第６の実施の形態の移動局を示すブロック図である。移動局３００ａは、図７に示した移動局３００のブロック要素に加えて、品質閾値記憶部３２６および品質判定部３２７を有する。
【０１９１】
品質閾値記憶部３２６は、移動局３００ａが基地局１００以外の基地局からＭＢＭＳデータを受信できるか否かの判断に用いる受信品質の閾値を記憶する。
品質判定部３２７は、品質測定部３２２から受信品質の測定結果を取得し、測定された受信品質と品質閾値記憶部３２６に記憶された閾値とを比較する。このとき、取得した測定結果が、ＭＢＳＦＮ送信を行っている基地局それぞれの受信品質を示す情報である場合は、個々の受信品質を統計処理して２以上の基地局全体の受信品質を算出して閾値と比較する。そして、受信品質が閾値以上であるか否かを示す情報を、ＭＢＳＦＮ送信に関する品質情報として生成する。
【０１９２】
受信品質が閾値以上であるか否かを示す品質情報は、ＭＢＳＦＮ受信制御部３１６を介して、基地局１００に送信される。基地局１００では、判定結果としての品質情報に基づいて、ＭＢＳＦＮ送信の停止の可否を判断することができる。
【０１９３】
このような第６の実施の形態の移動通信システムによれば、第２の実施の形態と同様の効果が得られる。また、第６の実施の形態では、移動局３００において受信品質が基準を満たしているか判定し判定結果を基地局１００に通知するため、基地局１００の負荷が軽減されると共に、制御情報の情報量を抑制することができる。
【０１９４】
［第７の実施の形態］
次に、第７の実施の形態について説明する。前述の第２の実施の形態との差異を中心に説明し、同様の事項については説明を省略する。第７の実施の形態に係る移動通信システムでは、ＭＣＥの機能を基地局に搭載し、ＭＣＥを独立した装置としては設けない。
【０１９５】
図２９は、第７の実施の形態の移動通信システムを示す図である。第７の実施の形態に係る移動通信システムは、基地局１００ａ，２００ａを含む複数の基地局、移動局３００、ＭＭＥ５１０およびＭＢＭＳゲートウェイ５２０を有する。
【０１９６】
ＭＢＳＦＮエリア内に存在する複数の基地局のうち少なくとも１つ（例えば、基地局１００ａ）が、ＭＣＥの機能、すなわち、ＭＢＳＦＮ送信を制御する機能を備える。ＭＣＥの機能をもたない基地局は、有線ネットワークを介してＭＣＥの機能を備える基地局との間で制御情報を送受信することで、ＭＢＳＦＮ送信を実現する。
【０１９７】
このような第７の実施の形態の移動通信システムによれば、第２の実施の形態と同様の効果が得られる。また、ＭＣＥを別個の装置として設置しなくてよいため、システム構成を簡略化することができる。
【０１９８】
上記については単に本発明の原理を示すものである。更に、多数の変形や変更が当業者にとって可能であり、本発明は上記に示し、説明した正確な構成および応用例に限定されるものではなく、対応する全ての変形例および均等物は、添付の請求項およびその均等物による本発明の範囲とみなされる。
【符号の説明】
【０１９９】
１０，２１，２２  基地局
１１  通知部
１２  制御部
３０  移動局
３１  送信部
３２  受信部
【図１】
0005609969.tif 000002
【図２】
0005609969.tif 000003
【図３】
0005609969.tif 000004
【図４】
0005609969.tif 000005
【図５】
0005609969.tif 000006
【図６】
0005609969.tif 000007
【図７】
0005609969.tif 000008
【図８】
0005609969.tif 000009
【図９】
0005609969.tif 000010
【図１０】
0005609969.tif 000011
【図１１】
0005609969.tif 000012
【図１２】
0005609969.tif 000013
【図１３】
0005609969.tif 000014
【図１４】
0005609969.tif 000015
【図１５】
0005609969.tif 000016
【図１６】
0005609969.tif 000017
【図１７】
0005609969.tif 000018
【図１８】
0005609969.tif 000019
【図１９】
0005609969.tif 000020
【図２０】
0005609969.tif 000021
【図２１】
0005609969.tif 000022
【図２２】
0005609969.tif 000023
【図２３】
0005609969.tif 000024
【図２４】
0005609969.tif 000025
【図２５】
0005609969.tif 000026
【図２６】
0005609969.tif 000027
【図２７】
0005609969.tif 000028
【図２８】
0005609969.tif 000029
【図２９】
0005609969.tif 000030